(57)【要約】【課題】  印刷物における複写物検知、改ざん検知のための操作と一連の流れで、印刷物への手書き記入内容の取得、不正流出元検知を可能とする。【解決手段】  処方箋作成・管理装置１３１は、印刷媒体上にドットパターンと塗りつぶしマークとをそれぞれ異なるインクで印刷する。処方箋データテーブル１３８は、塗りつぶしマークの領域データを記憶する。処方箋受付装置１２１は、電子ペン１０１から印刷物上の塗りつぶしマークを目標として取得された座標データを受信し、その座標データを処方箋作成・管理装置１３１へ送信する。処方箋受付装置１２１は、受け取った座標データが上記の領域データの座標データを含むか否かを判定する。【選択図】  図１
2006295424.tif 000002
【特許請求の範囲】
【請求項１】
印刷媒体上に光吸収性のあるインクでドットパターンを印刷し、前記ドットパターンの一部領域に重ねて光透過性のあるインクで塗りつぶしマークを印刷する手段と、
前記塗りつぶしマークが占有する領域の位置を示すデータを記憶装置に記憶する手段と、
外部の装置から前記ドットパターンの一部領域が検出された結果の座標データを受け取る手段と、
受け取った前記座標データが前記記憶装置に記憶される前記塗りつぶしマークの領域の座標データを含むか否かを判定する手段とを有し、
上記判定する手段が否定判定をするとき、前記外部の装置によって検出された印刷物が複写されたものと判定することを特徴とする偽造防止装置。
【請求項２】
さらに電子ペンから受け取った前記ドットパターンの識別子と、前記電子ペンから受け取った手書き文字に関するデータと前記印刷媒体上に印刷される文字のうちの少なくとも一方の文字データとを、前記塗りつぶしマークのデータと対応づけて前記記憶装置に記憶する手段を有することを特徴とする請求項１記載の偽造防止装置。
【請求項３】
さらに前記文字データを前記外部の装置へ送信する手段を有し、前記外部の装置で前記印刷物上の文字データと送信した前記文字データとの照合を可能とすることを特徴とする請求項２記載の偽造防止装置。
【請求項４】
光吸収性のあるインクでドットパターンが印刷され、前記ドットパターンの一部領域に重ねて光透過性のあるインクあるいは光吸収性のあるインクで塗りつぶしマークが印刷された印刷物の偽造防止をする装置であって、
電子ペンから前記塗りつぶしマークを目標として取得された一連の座標データと前記ドットパターンの識別子を受信する手段と、
前記座標データと前記識別子を外部の装置へ送信する手段と、
前記外部の装置から前記印刷物が複写されたものか否かの判定結果を受信する手段とを有することを特徴とする偽造防止装置。
【請求項５】
さらに前記外部の装置から、前記電子ペンによる手書き文字に関するデータと前記印刷物上に印刷される文字のうちの少なくとも一方の文字データを受信する手段を有し、受信した文字データと前記印刷物上の文字データとの照合を可能とすることを特徴とする請求項４記載の偽造防止装置。
【請求項６】
さらに第２の外部装置から電子ペンによる手書き文字に関するデータと前記印刷媒体上に印刷される文字のうちの少なくとも一方の文字データと、前記ドットパターンの識別子とを受け取る手段と、
受け取った前記文字データと前記識別子とを前記塗りつぶしマークのデータと対応づけて前記記憶装置に記憶する手段と、
前記文字データを前記外部の装置へ送信する手段とを有し、前記外部の装置で前記印刷物上の文字データと送信した前記文字データとの照合を可能とすることを特徴とする請求項１記載の偽造防止装置。
【請求項７】
ネットワークを介して第１の装置と第２の装置とが通信する偽造防止システムであって、
前記第１の装置は、
印刷媒体上に光吸収性のあるインクでドットパターンを印刷し、前記ドットパターンの一部領域に重ねて光透過性のあるインクで塗りつぶしマークを印刷する手段と、
前記塗りつぶしマークが占有する領域の位置を示すデータを記憶装置に記憶する手段と、
前記第２の装置から前記ドットパターンの一部領域が検出された結果の座標データを受け取る手段と、
受け取った前記座標データが前記記憶装置に記憶される前記塗りつぶしマークの領域の座標データを含むか否かを判定する手段とを有し、
前記第２の装置は、
電子ペンから前記塗りつぶしマークを目標として取得された前記座標データを受信する手段と、
前記座標データを前記第１の装置へ送信する手段とを有することを特徴とする偽造防止システム。
【請求項８】
さらに前記第１の装置は、電子ペンから受け取った前記ドットパターンの識別子と、前記電子ペンから受け取った手書き文字に関するデータと前記印刷媒体上に印刷される文字のうちの少なくとも一方の文字データとを、前記塗りつぶしマークのデータと対応づけて前記記憶装置に記憶する手段を有することを特徴とする請求項７記載の偽造防止システム。
【請求項９】
前記第１の装置は、前記文字データを前記第２の装置へ送信する手段を有し、前記第２の装置は、さらに前記印刷物上の文字データと受信した前記文字データとを照合する手段とを有することを特徴とする請求項８記載の偽造防止システム。
【請求項１０】
前記偽造防止システムは、さらにネットワークを介して前記第１の装置と通信する第３の装置を有し、
前記第３の装置は、さらに電子ペンから受け取った前記ドットパターンの識別子と、前記電子ペンから受け取った手書き文字に関するデータと前記印刷媒体上に印刷される文字のうちの少なくとも一方の文字データとを、前記第１の装置へ送信する手段を有し、
前記第１の装置は、さらに受け取った前記文字データと前記識別子とを前記塗りつぶしマークのデータと対応づけて前記記憶装置に記憶する手段を有することを特徴とする請求項７記載の偽造防止システム。
【発明の詳細な説明】
【技術分野】
【０００１】
本発明は、偽造防止システムに係り、特に、印刷物における複写物検知、改ざん検知、不正流出元検知が可能な偽造防止システムに関する。
【背景技術】
【０００２】
従来の印刷物における偽造防止技術として、特許文献１に記載の技術がある。この技術は、等間隔に配置された矩形領域に、赤外線吸収性色素を含むブラックインクを用いて不可視画像を網点によって印刷し、この不可視画像領域の周囲を赤外線吸収性色素を含まないシアン、マゼンタ、イエローの３原色の黒色系インクで印刷することによって、赤外線カメラ等の特殊な鑑定装置を用いない限り視認することができない不可視画像を、安価に印刷する技術である。
【０００３】
手書きの文字、図形データをデジタル化した座標データに変換して所定の機器に送信する技術として、特許文献２に記載の技術がある。この技術では、ある特殊な電子ペンとドットパターンが印刷された印刷物とを用いることにより、電子ペンを使って印刷物上に書き込んだ文字、図形の軌跡をベクトルデータにして保存し送信できる。
【０００４】
図２を用いてその仕組みについて説明する。印刷媒体２０１にはその全面にドットパターン２１０が印刷されている。ドットは一定間隔の格子点ごとに印刷されており、その位置は、ドットパターン２１０の一部を拡大して示すように格子点から微妙にずれている。電子ペン１０１は、ドットパターン２１０の印刷面に発光ダイオード２０２の光を射出して、内蔵カメラ２０３によってこのドットパターン２１０を読み取る。これによって電子ペン１０１のペン先がドットパターン空間上のどの位置にあるか、その絶対座標を正確に特定することができる。また、ドットパターン空間はその管理を容易にするため用紙サイズの標準規格等の所定の大きさに区切られ、各区画に対してドットパターン固有識別子（ＩＤ）が割り当てられている。電子ペン１０１は、読み取ったドットパターン２１０のドットパターン固有識別子も出力する。
【０００５】
電子ペン１０１は、カメラ２０３、インクカートリッジ２０４、筆圧センサ２０５、プロセッサ２０６、メモリ２０７、バッテリ２０８および通信装置２０９を内蔵している。筆圧センサ２０５が感圧しているときのみカメラ２０３がドットパターンを読み取り、プロセッサ２０６によってペン先の位置情報を取得する。すなわち印刷媒体２０１に書き込まれた文字や図形の軌跡をデジタル情報として取得する。このデジタル軌跡情報は、時系列にメモリ２０７に蓄積され、あるタイミングで通信装置２０９により所定の機器に送信される。
【０００６】
【特許文献１】特開２００３−１３６８２８号公報
【特許文献２】国際公開第０３／００１４４０号公報
【発明の開示】
【発明が解決しようとする課題】
【０００７】
上記従来技術は、印刷物が複写されたか否かを判定するような装置について開示していない。また、複写物から複写元を知ることができず、不正流出元を知ることができない。
【課題を解決するための手段】
【０００８】
本発明は、印刷媒体上に光吸収性のあるインクでドットパターンを印刷し、このドットパターンの一部領域に重ねて光透過性のあるインクで塗りつぶしマークを印刷する手段と、塗りつぶしマークが占有する領域の位置を示すデータを記憶装置に記憶する手段と、外部の装置からドットパターンの一部領域が検出された結果の座標データを受け取る手段と、受け取った座標データが記憶装置に記憶される塗りつぶしマークの領域の座標データを含むか否かを判定する手段とを有し、上記判定する手段が否定判定をするとき、外部の装置によって検出された印刷物が複写されたものと判定する偽造防止装置（第１の装置）を特徴とする。
【０００９】
また本発明は、上記印刷物の偽造防止をする装置であって、電子ペンから塗りつぶしマークを目標として取得された一連の座標データとドットパターンの識別子を受信する手段と、これら座標データと上記識別子を第１の装置へ送信する手段と、第１の装置からその印刷物が複写されたものか否かの判定結果を受信する手段とを有する第２の装置を特徴とする。
【００１０】
また本発明は、第１の装置と第２の装置とを有する偽造防止システムを特徴とする。
【発明の効果】
【００１１】
本発明によれば、印刷物における複写物検知、改ざん検知のための操作と一連の流れで、印刷物への手書き記入内容の取得、および不正流出元検知が可能となる。
【発明を実施するための最良の形態】
【００１２】
以下、本発明の実施の形態を図面を用いて詳細に説明する。本実施形態は、紙にデータを印刷して処方箋とする処方箋システムを例示する。
【実施例１】
【００１３】
図１に第１の実施例の全体システム構成を示す。処方箋システム１１１は、各薬局に設置される処方箋受付装置１２１および各病院に設置される処方箋作成・管理装置１３１から構成される。図１において、処方箋受付装置１２１と処方箋作成・管理装置１３１は、それぞれ１つしか図示していないが、それぞれ複数あってもかまわない。各装置１２１、１３１はネットワーク１１２を介して接続されており、各装置間でのデータ送受信が可能である。
【００１４】
処方箋システム１１１においては、病院の処方箋作成・管理装置１３１で印刷、作成された処方箋１０２を、患者が薬局へ持参し、薬局は処方箋受付装置１２１でその処方箋を受け付け、その処方箋に応じて、その患者に薬品を処方する。
【００１５】
処方箋作成・管理装置１３１は、処方箋データの作成と処方箋の印刷を行い、処方箋受付装置１２１とデータの送受信等を行うコンピュータ装置である。処方箋作成・管理装置１３１は、電子ペン１０１のほか、ユーザインタフェースとしてキーボード、マウス等の入力装置１３２、ディスプレイ、プリンタ等の出力装置１３３を有する。電子ペン１０１は、有線又は無線によって処方箋作成・管理装置１３１に接続可能である。また、処方箋作成・管理装置１３１の本体は、ＣＰＵ、メモリ、通信装置、記憶装置およびそれらの間のデータ通信等を制御する制御装置等から構成され、記憶装置内のプログラムがＣＰＵに順次読み込まれて実行されることによりそれぞれの処理部としての役割を果たす４つの処理部が機能する。すなわち、ドットパターン２１０を含む処方箋１０２を印刷するドットパターン印刷部１３４、処方箋１０２に電子ペン１０１で記入した内容等を処方箋データとする処方箋データ作成部１３５、ドットパターン印刷部１３４で印刷したドットパターンと処方箋データ作成部１３５で作成した処方箋データを管理する処方箋データ管理部１３６、および処方箋が複写されたものか否かを判定する処方箋偽造判定部１３７が動作する。また記憶装置は、処方箋データテーブル１３８を格納している。
【００１６】
処方箋受付装置１２１は、処方箋を受付し、処方箋作成・管理装置１３１とデータの送受信等を行うコンピュータ装置である。処方箋受付装置１２１は、電子ペン１０１のほか、ユーザインタフェースとしてキーボード、スキャナ等の入力装置１２２、ディスプレイ等の出力装置１２３を有する。電子ペン１０１は、有線又は無線によって処方箋受付装置１２１に接続可能である。また、処方箋受付装置１２１の本体は、ＣＰＵ、メモリ、通信装置、記憶装置およびそれらの間のデータ通信等を制御する制御装置等から構成され、記憶装置内のプログラムがＣＰＵに順次読み込まれて実行されることによりそれぞれの処理部としての役割を果たす２つの処理部が機能する。すなわち、電子ペン１０１を用いて処方箋の受付を行う処方箋受付部１２４、および処方箋作成・管理装置１３１から受信した処方箋データと入力装置１２２から入力された処方箋データを比較する処方箋データ比較部１２５が動作する。
【００１７】
図３は、処方箋データテーブル１３８のテーブル構成例を示す図である。処方箋データテーブル１３８は、ドットパターン印刷部１３４で印刷したドットパターンと、処方箋データ作成部１３５で作成した処方箋データを、対応づけて管理するためのテーブルであり、「ドットパターンＩＤ」と「塗りつぶし領域」と「薬局」と「処方箋データ」を備える。「ドットパターンＩＤ」は、検出されたドットパターンのドットパターン固有識別子である。「塗りつぶし領域」は、後述の塗りつぶしマークが印刷されたドットパターン上の座標領域の座標データである。「薬局」は、電子ペンから座標データを検出し処方箋作成・管理装置１３１へ送信する座標データ送信元の処方箋受付装置１２１が設置されている薬局の識別子である。「処方箋データ」は、患者名、薬品名、その個数等を含む処方箋データである。患者名は印刷した処方箋の配布先となるので印刷履歴という意味もある。
【００１８】
以後、処方箋システム１１１の処理の流れを図４を用いて説明する。まず、処方箋作成・管理装置１３１の処方箋データ作成部１３５は、ドットパターン印刷部１３４を介して図５に示すようなドットパターン、塗りつぶしマーク５０３、患者名等の処方箋データ５０２が印刷された処方箋１０２を作成する（ステップ４０１）。このとき、ドットパターン印刷部１３４は、ドットパターンと、各ドットの上に重ねてあるいは各ドットを避けるようにその周囲に印刷する塗りつぶしマーク５０３とは、異なるインクで印刷する。すなわち、ドットパターンは、電子ペン１０１の発光ダイオード２０２が射出する光に対して吸収性があるインクで印刷され、塗りつぶしマーク５０３は、透過性があるインクで印刷される。そして、偽造の困難さを考えれば、ドットパターンと塗りつぶしマーク５０３は同色であるほうが好ましい。ここでは、例えば、発光ダイオード２０２は赤外光を射出するものとし、ドットパターンはカーボンインクによる黒色で印刷され、塗りつぶしマーク５０３はノンカーボンインクによる黒色で印刷される。
【００１９】
本処方箋は、広大なドットパターン空間の一部領域を占有する。処方箋が占有する領域にはユニークなドットパターンＩＤが対応づけられる。従って処方箋上のドットパターンは、そのいずれの領域からも割り当てられたパターンＩＤが検出できるようなパターンで印刷される。
【００２０】
塗りつぶしマーク５０３は、ドットパターンが存在する用紙領域の上に重ねて配置されるのであれば、その位置、形状、大きさは任意である。電子ペン１０１は、塗りつぶしマーク５０３やそれが占める領域を検出せず、ただその領域に存在するドットパターンのみを検出する。
【００２１】
処方箋作成・管理装置１３１の処方箋データ管理部１３６は、ステップ４０１で印刷したドットパターンのドットパターンＩＤ、塗りつぶしマーク５０３の塗りつぶし領域の座標データ、および処方箋データを、対応づけて処方箋データテーブル１３８に記録する（ステップ４０２）。例えば塗りつぶし領域が矩形の場合には、領域の始点および終点の座標値、あるいは始点の座標値と幅、高さなどのデータとなる。
【００２２】
次に、ステップ４０１で印刷された処方箋１０２に、病院のスタッフが、図６に示すような処方すべき薬品名６０２やその個数６０３を電子ペン１０１で記入し、その処方箋６０１を患者に渡す。電子ペン１０１のインクカートリッジ２０４はノンカーボンインクを蓄えるので、処方箋６０１上の文字データは、ノンカーボンインクで記入される。電子ペン１０１は、記入箇所のドットパターンから電子ペン１０１の通過により検出された座標データおよびドットパターンＩＤを算出する。電子ペン１０１の軌跡である一連の座標データは、いわゆるベクトルデータを構成する。処方箋作成・管理装置１３１の処方箋データ作成部１３５は、電子ペン１０１からこの座標データおよびドットパターンＩＤを受信し（ステップ４０３）、処方箋データ管理部１３６を介して処方箋データテーブル１３８の該当するドットパターンＩＤのレコードに、座標データを「処方箋データ」の一部として記録する（ステップ４０４）。なお、座標データを文字認識することにより、テキストデータとして「処方箋データ」に記録してもよい。あるいは一連の座標データを手書き文字の画像データとして「処方箋データ」あるいは対応するファイルに記録してもよい。
【００２３】
患者は、渡された処方箋６０１を薬局に持参する。薬局のスタッフは、処方箋受付装置１２１に接続される電子ペン１０１を用いて処方箋６０１に図７に示すようにチェック７０１を記入する。電子ペン１０１は、チェック７０１が記入された箇所のドットパターンからその一連の座標データおよびドットパターンＩＤを算出する。処方箋受付装置１２１の処方箋受付部１２４は、電子ペン１０１からこの座標データおよびドットパターンＩＤを受信する（ステップ４０５）。このとき、電子ペン１０１は、塗りつぶしマーク５０３上のチェック記入に対しても、赤外光の吸収、透過の違いによって、ドットパターンを読み取ることができ、図８の（ａ）のようにチェック７０１に関する座標データ８０１を取得することができる。しかし、もし処方箋が複写されたものであるならば、塗りつぶしマークは赤外光下では同じ黒色であるため、複写機で塗りつぶしマーク部分を読み取るときに、複写機ではドットパターンと塗りつぶしマークを区別できず、同じインク（カーボン）で印刷される。このため電子ペン１０１は、ドットパターン部分だけを読み取ることができず、図８の（ｂ）に示す座標データ８０２のように塗りつぶしマーク５０３部分のチェック７０１に関する座標データを取得できない。
【００２４】
処方箋受付装置１２１の処方箋受付部１２４は、ステップ４０５で受信した座標データおよびドットパターンＩＤを処方箋作成・管理装置１３１に送信する（ステップ４０６）。送信先は、ドットパターンＩＤによって決まっているものとする。
【００２５】
処方箋作成・管理装置１３１の処方箋偽造判定部１３７は、この座標データおよびドットパターンＩＤを受信する（ステップ４０７）。このとき、処方箋偽造判定部１３７は、送信元の薬局の識別子も取得する。薬局の識別子は、処方箋受付装置１２１に固有の識別子であってもよいし、電子ペンに固有の識別子であってもよい。
【００２６】
続けて、処方箋作成・管理装置１３１の処方箋データ管理部１３６は、ステップ４０７で受信したドットパターンＩＤをキーに処方箋データテーブル１３８を検索し、薬局の識別子を記録し、また塗りつぶし領域の座標データおよび処方箋データを取得する（ステップ４０８）。この時点の処方箋データは、一般に、手書き文字に関するデータと、印刷媒体上に印刷される患者名などの印刷文字のうちの少なくとも一方の文字データを含んでいる。この段階で、患者がどの薬局で薬品を受け取ったかを病院が把握可能となる。
【００２７】
処方箋作成・管理装置１３１の処方箋偽造判定部１３７は、ステップ４０７で受信した座標データ中にステップ４０８で取得した塗りつぶし領域の座標データが存在するか否かを判定する（ステップ４０９）。存在する場合は、処方箋偽造判定部１３７は、処方箋６０１が複写されたものではないと判定し、存在しない場合は、処方箋６０１が複写されたものと判定する（ステップ４１０）。処方箋偽造判定部１３７は、この複写判定結果と、ステップ４０８で取得した処方箋データを、処方箋受付装置１２１に送信する（ステップ４１１）。
【００２８】
処方箋受付装置１２１の処方箋データ比較部１２５は、この複写判定結果および処方箋データを受信し、ディスプレイ等の出力装置１２３に表示する（ステップ４１２）。薬局のスタッフは、表示された複写判定結果を見て複写の有無を確認し、表示された処方箋データと処方箋６０１とを見比べて改ざんの有無を確認する。これにより、薬局は、処方箋の複写、改ざんを検知することができ、本来処方されてはならない薬品を処方することがなくなる。また、表示された処方箋データには患者名が含まれているので、この処方箋の受領者を知ることができ、複写物の流出元を知ることができる。
【００２９】
また、次のようにして改ざんを検知してもよい。処方箋データ比較部１２５は、キーボードやスキャナ等の入力装置１２２から処方箋６０１の内容を入力し（ステップ４１３）、そのデータと、ステップ４１２で受信した処方箋データを比較して差分を抽出し（ステップ４１４）、その結果を表示する（ステップ４１５）。
【００３０】
なお、ステップ４１０の複写の判定は、処方箋作成・管理装置１３１が行う代わりに、処方箋受付装置１２１又は電子ペン１０１が処方箋作成・管理装置１３１から塗りつぶし領域の情報を受け取り、処方箋受付装置１２１又は電子ペン１０１が行ってもよい。
【００３１】
ステップ４１４の改ざんの判定は、処方箋受付装置１２１が行う代わりに、処方箋作成・管理装置１３１がステップ４１３で入力されたデータを処方箋受付装置１２１から受け取り、処方箋作成・管理装置１３１が行ってもよい。
【００３２】
処方箋受付装置１２１に接続されている電子ペン１０１は、筆記機能がなくてもよい。筆記機能がなくとも、電子ペン１０１がチェック７０１の軌跡である一連の座標データを検出することができる。
【実施例２】
【００３３】
図９に第２の実施例の全体システム構成を示す。第２の実施例は、各病院でドットパターン２１０を印刷する設備を導入するのが困難な場合を想定しており、地域の医師会が代表してその設備を持つモデルである。処方箋システム９１１は、各薬局に設置される処方箋受付装置９２１、各病院に設置される処方箋作成装置９３１、および医師会に設置される処方箋管理装置９４１から構成される。図９においては、処方箋受付装置９２１および処方箋作成装置９３１は、それぞれ１つしか図示していないが、それぞれ複数あってもかまわない。各装置９２１、９３１、９４１は、ネットワーク９１２を介して接続されており、各装置間でのデータ送受信が可能である。
【００３４】
処方箋システム９１１においては、医師会の処方箋管理装置９４１がドットパターンおよび塗りつぶしマークが印刷された紙を作成し、病院ではその紙を貼り付けた処方箋９０２を処方箋作成装置９３１で作成し、患者はその処方箋を薬局へ持参する。薬局は、処方箋受付装置９２１でその処方箋に応じてその患者に薬品を処方する。
【００３５】
処方箋管理装置９４１は、ドットパターンおよび塗りつぶしマークの印刷、処方箋作成装置９３１や処方箋受付装置９２１とデータの送受信等を行うコンピュータ装置である。処方箋管理装置９４１は、ユーザインタフェースとしてキーボード、マウス等の入力装置９４２、ディスプレイ、プリンタ等の出力装置９４３を有する。また、処方箋管理装置９４１の本体は、ＣＰＵ、メモリ、通信装置、記憶装置およびそれらの間のデータ通信等を制御する制御装置等から構成され、記憶装置内のプログラムがＣＰＵに順次読み込まれて実行されることによりそれぞれの処理部としての役割を果たす３つの処理部が機能する。すなわち、ドットパターン２１０および塗りつぶしマークを印刷するドットパターン印刷部９４４、ドットパターン印刷部１３４で印刷したドットパターンと処方箋作成装置９３１で作成した処方箋データを管理する処方箋データ管理部９４５、および処方箋が複写されたものか否かを判定する処方箋偽造判定部９４６が動作する。また記憶装置は、処方箋データテーブル９４７を格納している。
【００３６】
処方箋作成装置９３１は、処方箋データの作成と処方箋の印刷を行い、処方箋管理装置９４１や処方箋受付装置９２１とデータの送受信等を行うコンピュータ装置である。処方箋作成装置９３１は、電子ペン１０１のほか、ユーザインタフェースとしてキーボード、マウス等の入力装置９３２、ディスプレイ等の出力装置９３３を有する。また、処方箋作成装置９３１の本体は、ＣＰＵ、メモリ、通信装置、記憶装置およびそれらの間のデータ通信等を制御する制御装置等から構成され、記憶装置内のプログラムがＣＰＵに順次読み込まれて実行されることによりそれぞれの処理部としての役割を果たす１つの処理部が機能する。すなわち、処方箋９０２に電子ペン１０１で記入した内容等を処方箋データとする処方箋データ作成部９３４が動作する。
【００３７】
処方箋受付装置９２１は、処方箋の受付を行い、処方箋管理装置９４１や処方箋作成装置９３１とデータの送受信等を行うコンピュータ装置である。処方箋受付装置９２１は、電子ペン１０１のほか、ユーザインタフェースとしてキーボード、スキャナ等の入力装置９２２、ディスプレイ等の出力装置９２３を有する。また、処方箋受付装置９２１の本体は、ＣＰＵ、メモリ、通信装置、記憶装置およびそれらの間のデータ通信等を制御する制御装置等から構成され、記憶装置内のプログラムがＣＰＵに順次読み込まれて実行されることによりそれぞれの処理部としての役割を果たす２つの処理部が機能する。すなわち、電子ペン１０１を用いて処方箋の受付を行う処方箋受付部９２４、および処方箋管理装置９４１から受信した処方箋データと入力装置９２２から入力された処方箋データを比較する処方箋データ比較部９２５が動作する。
【００３８】
図１０は、処方箋データテーブル９４７のテーブル構成例を示す図である。処方箋データテーブル９４７は、ドットパターン印刷部９４４で印刷したドットパターンと、処方箋作成装置９３１で作成した処方箋データを、対応づけて管理するためのテーブルであり、「ドットパターンＩＤ」と「塗りつぶし領域」と「病院」と「薬局」と「処方箋データ」を備える。「ドットパターンＩＤ」は、検出されたドットパターンのドットパターン固有識別子である。「塗りつぶし領域」は、塗りつぶしマークが印刷されたドットパターン上の座標領域の座標データである。「病院」は、処方箋データ作成元の病院の識別子である。「薬局」は、電子ペンから座標データを検出し処方箋管理装置９４１へ送信する座標データ送信元の処方箋受付装置９２１が設置されている薬局の識別子である。「処方箋データ」は、患者名、薬品名、その個数等を含む処方箋データである。患者名は印刷した処方箋の配布先となるので印刷履歴という意味もある。
【００３９】
以後、処方箋システム９１１の処理の流れを図１１を用いて説明する。まず、処方箋管理装置９４１のドットパターン印刷部９４４は、図１２に示すようなドットパターン、塗りつぶしマーク１２０３を印刷した紙１２０４を作成する（ステップ１１０１）。このとき、ドットパターン印刷部９４４は、ドットパターンと、各ドットに重ねてあるいは各ドットを避けるようにその周囲に印刷する塗りつぶしマーク１２０３とは、異なるインクで印刷する。すなわち、ドットパターンは、電子ペン１０１の発光ダイオード２０２が射出する光に対して吸収性があるインクで印刷され、塗りつぶしマーク１２０３は、透過性があるインクで印刷される。そして、偽造の困難さを考えれば、ドットパターンと塗りつぶしマーク１２０３は同色であるほうが好ましい。ここでは、例えば、発光ダイオード２０２は赤外光を射出するものとし、ドットパターンはカーボンインクによる黒色で印刷され、塗りつぶしマーク１２０３はノンカーボンインクによる黒色で印刷される。
【００４０】
処方箋管理装置９４１の処方箋データ管理部９４５は、ステップ１１０１で印刷したドットパターンのドットパターンＩＤ、および塗りつぶしマーク１２０３の塗りつぶし領域を、対応づけて処方箋データテーブル９４７に記録する（ステップ１１０２）。
【００４１】
医師会は、各病院にこの紙１２０４を配布する。
【００４２】
次に、処方箋作成装置９３１の処方箋データ作成部９３４は、図１２に示すような患者名等の処方箋データ１２０２が印刷された処方箋用紙を作成する（ステップ１１０３）。病院のスタッフは、この用紙に医師会から受け取ったドットパターンと塗りつぶしマーク１２０３が印刷された紙１２０４を貼り付け、その紙１２０４上に処方すべき薬品名やその個数を電子ペン１０１で記入し、その処方箋を患者に渡す。電子ペン１０１は、記入箇所のドットパターンから電子ペン１０１の通過により検出される座標データおよびドットパターンＩＤを算出する。処方箋作成装置９３１の処方箋データ作成部９３４は、電子ペン１０１から、この座標データおよびドットパターンＩＤを受信し（ステップ１１０４）、ステップ１１０３で印刷した処方箋データ（患者データなど）と対応づけて、処方箋管理装置９４１に送信する（ステップ１１０５）。取得した座標データは処方箋データの一部とする。なお、座標データを文字認識することにより、テキストデータとしてもよい。あるいは一連の座標データを手書き文字の画像データに変換してもよい。処方箋データと対応づける方法としては、ステップ１１０３の直後に電子ペン１０１から受信したドットパターンＩＤを使うことにしてもよいし、キーボードからドットパターンＩＤを入力してもよい。
【００４３】
処方箋管理装置９４１の処方箋データ管理部９４５は、このドットパターンＩＤおよび処方箋データを受信する（ステップ１１０６）。このとき、実施例１に示す処方箋データの他に、送信元の病院の識別子も取得する。病院の識別子は、処方箋作成装置９３１に固有の識別子であってもよいし、電子ペンに固有の識別子であってもよい。
【００４４】
続けて、処方箋管理装置９４１の処方箋データ管理部９４５は、ステップ１１０６で受信したドットパターンＩＤをキーにして処方箋データテーブル９４７に、処方箋データおよび病院の識別子を記録する（ステップ１１０７）。
【００４５】
以後のステップ１１０８〜１１１８は、第１の実施の形態におけるステップ４０５〜４１５と同様である。これにより、患者が複数病院、複数薬局を利用した場合の薬品の組み合わせや量のチェックも可能となる。
【００４６】
上記では処方箋システムを例にとったが、視認可能な印刷媒体に価値があって、偽造を防止する必要のあるものであれば、本発明を適用可能である。例えば、農業製品や工業製品のトレーサビリティシステムでは、製品に添付するラベルにドットパターンと塗りつぶしマークを印刷し、そこに生産者のサインや物品名を記入し、移動拠点ごとにチェックを行う。記入内容や移動経路をトレースできる。もしコピー商品を本物と偽るためにこのラベルを複写して添付しても検知可能である。また、秘密文書管理システムでは、秘密文書とともにドットパターンおよび塗りつぶしマークを印刷することにより、複写検知や不正流出元検知を行うことができる。
【図面の簡単な説明】
【００４７】
【図１】第１の実施例の処方箋システムの構成図である。
【図２】電子ペンおよび用紙の仕組みを示す図である。
【図３】第１の実施例の処方箋データテーブルのデータ構成図である。
【図４】第１の実施例の処方箋システムの処理フロー図である。
【図５】第１の実施例の処方箋例を示す図である。
【図６】第１の実施例の処方箋への病院側の記入例を示す図である。
【図７】第１の実施例の処方箋への薬局側の記入例を示す図である。
【図８】第１の実施例の処方箋への記入の軌跡を示す図である。
【図９】第２の実施例の処方箋システムの構成図である。
【図１０】第２の実施例の処方箋データテーブルのデータ構成図である。
【図１１】第２の実施例の処方箋システムの処理フロー図である。
【図１２】第２の実施例の処方箋例を示す図である。
【符号の説明】
【００４８】
１０１…電子ペン、１０２，９０２…処方箋、１２１…処方箋受付装置、１２４，９２４…処方箋受付部、１２５，９２５…処方箋データ比較部、１３１…処方箋作成・管理装置、１３４，９４４…ドットパターン印刷部、１３５，９３４…処方箋データ作成部、１３６，９４５…処方箋データ管理部、１３７，９４６…処方箋偽造判定部、１３８，９４７…処方箋データテーブル、９２１…処方箋受付装置、９３１…処方箋作成装置、９４１…処方箋管理装置
【図１】
2006295424.tif 000003
【図２】
2006295424.tif 000004
【図３】
2006295424.tif 000005
【図４】
2006295424.tif 000006
【図５】
2006295424.tif 000007
【図６】
2006295424.tif 000008
【図７】
2006295424.tif 000009
【図８】
2006295424.tif 000010
【図９】
2006295424.tif 000011
【図１０】
2006295424.tif 000012
【図１１】
2006295424.tif 000013
【図１２】
2006295424.tif 000014